【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
布基礎の上面とその上に配置される土台との間に介装される基礎パッキンであって、
通気孔が設けられた基礎パッキン本体、及び、凸部が設けられた断熱材を備え、前記断熱材は、前記凸部を前記通気孔に押し込んで前記通気孔を塞ぐようにして前記基礎パッキン本体に取り付けられることを特徴とする基礎パッキン。
【請求項２】
前記断熱材は、通気性を有する、請求項１に記載の基礎パッキン。
【請求項３】
前記断熱材は、前記基礎パッキン本体の一側面側において前記通気孔を塞ぐようにして取り付けられている請求項１又は２に記載の基礎パッキン。
【請求項４】
通気孔が設けられた基礎パッキンの前記通気孔に、凸部が設けられた断熱材の前記凸部を押し込んで、前記基礎パッキンに断熱材を取り付ける工程、及び
前記基礎パッキンを布基礎の上面とその上に配置される土台との間に介装させる工程を有する基礎パッキンの設置方法。
【手続補正２】
【補正対象書類名】明細書
【補正対象項目名】０００１
【補正方法】変更
【補正の内容】
【０００１】
この発明は、基礎パッキン及び基礎パッキンの設置方法に関する。
【手続補正３】
【補正対象書類名】明細書
【補正対象項目名】０００８
【補正方法】変更
【補正の内容】
【０００８】
本発明は、上述した課題に鑑みてなされたものであり、その目的は、建物の下方の空間の断熱性を高めるための基礎パッキン及び基礎パッキンの設置方法を提供することにあり、別の目的は、建物の下方の空間の湿気を取り除き、且つ、断熱性を向上させることが可能な基礎パッキンを提供することにある。
【手続補正４】
【補正対象書類名】明細書
【補正対象項目名】０００９
【補正方法】変更
【補正の内容】
【０００９】
以上のような目的を達成するために、本発明は、以下のようなものを提供する。
（１）布基礎の上面とその上に配置される土台との間に介装される基礎パッキンであって、通気孔が設けられた基礎パッキン本体、及び、凸部が設けられた断熱材を備え、前記断熱材は、前記凸部を前記通気孔に押し込んで前記通気孔を塞ぐようにして前記基礎パッキン本体に取り付けられることを特徴とする基礎パッキン。
【手続補正５】
【補正対象書類名】明細書
【補正対象項目名】００１０
【補正方法】変更
【補正の内容】
【００１０】
（１）の発明によれば、断熱材の凸部を基礎パッキン本体の通気孔に押し込むことで容易に断熱材を基礎パッキン本体に取り付けることができる。そして、通気孔には、断熱材がこの通気孔を塞ぐように設けられているので、通気孔から、熱（例えば、温められた空気の熱）が外部に排出されることを著しく防止し、断熱性を向上させることができる。このように、（１）の発明によれば、建築物の下方の空間の断熱性を向上させることが可能となる。
【手続補正６】
【補正対象書類名】明細書
【補正対象項目名】００１１
【補正方法】変更
【補正の内容】
【００１１】
（２）上記断熱材は、通気性を有していてもよい。
【手続補正７】
【補正対象書類名】明細書
【補正対象項目名】００１２
【補正方法】変更
【補正の内容】
【００１２】
（２）の発明によれば、通気孔を塞いでいる断熱材は、通気性を有するため、この通気孔を介して、湿度を外部に排出することができ、建築物の下方の空間の湿度を取り除くとともに、断熱性を向上させることが可能となる。
【手続補正８】
【補正対象書類名】明細書
【補正対象項目名】００１３
【補正方法】変更
【補正の内容】
【００１３】
（３）上記断熱材は、基礎パッキン本体の一側面側において前記通気孔を塞ぐようにして取り付けられているようにしてもよい。
【手続補正９】
【補正対象書類名】明細書
【補正対象項目名】００１４
【補正方法】変更
【補正の内容】
【００１４】
（３）の発明によれば、基礎パッキンの一側面側に断熱材を取り付ければよいので、断熱材の取り付け作業がより容易に行うことができる。
【手続補正１０】
【補正対象書類名】明細書
【補正対象項目名】００１５
【補正方法】変更
【補正の内容】
【００１５】
（４）通気孔が設けられた基礎パッキンの前記通気孔に、凸部が設けられた断熱材の前記凸部を押し込んで、前記基礎パッキンに断熱材を取り付ける工程、及び前記基礎パッキンを布基礎の上面とその上に配置される土台との間に介装させる工程を有する基礎パッキンの設置方法。
【手続補正１１】
【補正対象書類名】明細書
【補正対象項目名】００１６
【補正方法】変更
【補正の内容】
【００１６】
（４）の発明によれば、上記（１）の発明と同様の効果を得ることができる。
【手続補正１２】
【補正対象書類名】明細書
【補正対象項目名】００１７
【補正方法】変更
【補正の内容】
【００１７】
本発明によれば、建物の下方の空間の断熱性を向上させることが可能な基礎パッキン及び基礎パッキンの設置方法を提供することができる。
【手続補正１３】
【補正対象書類名】明細書
【補正対象項目名】００２７
【補正方法】変更
【補正の内容】
【００２７】
基礎パッキン４０は、基礎パッキン本体４１に断熱材５０を嵌合させたものである。
基礎パッキン本体４１に断熱材５０を嵌合させるとき、断熱材５０の凸部５２は、基礎パッキン本体４１の上側の壁が形成されていない通気孔４２をふさぐように配置される。一方、凸部５２同士の間に形成された凹部５３は、下側の壁が形成されていない通気孔４２をふさぐように配置される。基礎パッキン４０では、通気孔４２が設けられているため、この通気孔から湿度を外部に逃がすことができる。また、通気孔４２が断熱材５０で塞がれており、熱が通気孔４２から逃げることを極力防止することができるため、断熱性を向上させることができる。
【手続補正１４】
【補正対象書類名】明細書
【補正対象項目名】００４９
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】変更
【補正の内容】
【００５２】
以上、本発明の実施形態について説明したが、本発明は、上述した例に限定されるものではなく、本発明の構成を充足する範囲内で、適宜設計変更を行うことが可能である。
【手続補正１７】
【補正対象書類名】明細書
【補正対象項目名】００５３
【補正方法】変更
【補正の内容】
【００５３】
【図１】第１実施形態に係る基礎パッキンを模式的に示す斜視図である。
【図２】図１に示した基礎パッキン本体を示す斜視図である。
【図３】第２実施形態に係る断熱材を模式的に示す斜視図である。
【図４】図３に示した断熱材の正面図である。
【図５】（ａ）は、第３実施形態に係る断熱材を模式的に示す正面図であり、（ｂ）は、その平面図であり、（ｃ）は、その側面図である。
【図６】（ａ）は、第４実施形態に係る断熱材を模式的に示す平面図であり、（ｂ）は、その側面図である。
【図７】本発明に係る基礎パッキンが備えられた建築物の一例を示す断面透視図である。
【図８】本発明に係る基礎パッキンが備えられた他の建築物の一例を示す断面透視図である。
【手続補正１８】
【補正対象書類名】明細書
【補正対象項目名】００５４
【補正方法】変更
【補正の内容】
【００５４】
４０  基礎パッキン
４１  基礎パッキン本体
４２  通気孔
５０、６０、７０、８０  断熱材
２０１、７０１  ベタ基礎
２０２、２０３、７０２、７０３  布基礎
２０４、７０４  土台
５００、６００  建物
５０２、６０２  浴室
【手続補正１９】
【補正対象書類名】明細書
【補正対象項目名】発明の名称
【補正方法】変更
【補正の内容】
【発明の名称】基礎パッキン及び基礎パッキンの設置方法
【手続補正２０】
【補正対象書類名】図面
【補正対象項目名】図９
【補正方法】削除
【補正の内容】